(57)【要約】【課題】マルチＲＦコイルを用いてムービング・ベッド法に基づき撮像を行うときに、操作上の省力化、撮像の迅速化、及び寝台移動の正確さ向上を図る。【解決手段】磁気共鳴イメージング装置は、静磁場を通過する所定方向に移動可能な寝台の天板１４Ｔと、複数のコイル群から成る受信用のマルチＲＦコイル７Ｒとを備える。天板１４Ｔの長手方向の位置が、複数のコイル体夫々の前記所定方向の長さに応じて自動的に移動される。この移動位置夫々にて、シーケンサ５からの指令の元に、所定のパルスシーケンスに拠るスキャンが行われる。エコー信号がマルチＲＦコイル７Ｒを介して受信され、入力切り替え器８６により自動的に切り替えられて受信系回路８７に送られる。この回路８７にて、エコー信号は所定処理に付されてエコーデータに変換される。エコーデータはホスト計算機６によりＭＲ画像に生成される。【選択図】  図１
2011078840.tif 000002
【特許請求の範囲】
【請求項１】
磁場強度が一様な均一領域を含む静磁場を発生する静磁場発生手段と、
被検体を載せるとともに前記静磁場を通過する所定方向に移動可能な寝台と、
前記被検体に対して設置される複数のコイル体から成る受信用のマルチＲＦコイルと、
前記所定方向における前記寝台と前記静磁場発生手段が有するマグネットとの間の相対的な位置を前記複数のコイル体夫々の当該所定方向の長さに応じて変更する位置変更手段と、
この位置変更手段により変更された位置夫々にて所定のパルス列を前記被検体に印加するスキャンを行うスキャン手段と、
このスキャン手段による前記パルス印加の伴って前記被検体から発生するエコー信号を前記マルチＲＦコイルを介して受信する受信手段と、
この受信手段により受信されたエコー信号に所定の受信処理を付してエコーデータに変換する受信処理手段と、
この受信処理手段により変換されたエコーデータに基づきＭＲ画像を生成する画像生成手段と、
を備えたことを特徴とする磁気共鳴イメージング装置。
【請求項２】
請求項１に記載の磁気共鳴イメージング装置において、
前記所定方向は、前記寝台の長手方向であり、
前記位置変更手段は、前記長手方向における前記寝台の位置を前記静磁場発生手段に対して移動させる手段である磁気共鳴イメージング装置。
【請求項３】
請求項２に記載の磁気共鳴イメージング装置において、
前記位置変更手段は、前記複数のコイル体の前記長手方向における中心位置が前記静磁場の均一領域に一致するように前記位置を変更する手段である磁気共鳴イメージング装置。
【請求項４】
請求項３に記載の磁気共鳴イメージング装置において、
前記受信処理手段は、前記複数のコイル要素夫々により受信されたエコー信号の内、前記静磁場の均一領域の前記長手方向における中心位置に位置するコイル要素が受信したエコー信号を選択して前記画像生成手段に与える選択手段を有する磁気共鳴イメージング装置。
【請求項５】
請求項４に記載の磁気共鳴イメージング装置において、
前記選択手段は、
前記複数のコイル体により受信されたエコー信号のレベルを検出する信号レベル検出手段と、
この信号レベル検出手段により検出されるエコー信号のレベルの変化に基づいて、前記静磁場の均一領域の前記長手方向における中心位置に位置するコイル体が受信したエコー信号を選択する信号選択手段と、
を備える磁気共鳴イメージング装置。
【請求項６】
請求項２に記載の磁気共鳴イメージング装置において、
前記パルス列は、１枚の画像再構成に必要な所定のエンコード数よりも少ないエンコード数を有するパルス列であり、
前記位置変更手段は、前記マルチＲＦコイルを成す複数のコイル体の内、相互に隣接する２つのコイル体の感度分布領域が前記長手方向においてオーバーラップする領域が前記静磁場の均一領域に一致するように前記位置を変更するとともに、前記各コイル体の前記長手方向における長さ分ずつ前記寝台を移動させる手段であり、
前記画像生成手段は、前記位置変更手段により変更される位置毎に前記受信処理手段によって生成される前記エコーデータの組に前記複数のコイル体の感度分布が異なることを利用したアンフォールディング処理を行う手段である磁気共鳴イメージング装置。
【発明の詳細な説明】
【技術分野】
【０００１】
この発明は、医用の磁気共鳴イメージング（ＭＲＩ）装置及び磁気共鳴イメージング方法に係り、とくに、患者（被検体）を載せた寝台（天板）を動かしながら高速に及び／又は広範囲に撮像するタイプの磁気共鳴イメージング装置及び磁気共鳴イメージング方法に関する。
【背景技術】
【０００２】
医用の磁気共鳴イメージングは、静磁場中に置かれた被検体の原子核スピンをラーモア周波数の高周波信号で磁気的に励起し、この励起に伴って発生するＦＩＤ（自由誘導減衰）信号やエコー信号から被検体の画像を得ることに基礎を置いた撮像法である。この磁気共鳴イメージングにおいても、他の医用モダリティに拠るイメージングと同様に、近年のハードウェアの進歩と共に、様々な撮像法が開発されている。
【０００３】
例えば、下肢の血管の場合にも、既に各種の撮像法が知られている。下肢の場合、通常、体軸方向の撮像領域を広くとる必要がある。また、造影剤が下肢に到達し且つ滞留している間にそのような広い範囲の撮像を終えることも要求され、これには、撮像を高速（短時間のうちに）且つ高時間分解能で行わなければならない。
【０００４】
この内、広範囲な撮像領域を確保する手法の１つに、寝台を移動させながら撮像を行う寝台移動撮像法、所謂、ムービング・ベッド（Ｍｏｖｉｎｇ  Ｂｅｄ）法と呼ばれる手法がある。この手法は、ある寝台位置において所定の撮像領域に対する１回目の撮像を行うと、次に寝台（患者）をその撮像領域分の距離だけ移動させた後、次の撮像領域に対する２回目の撮像を行う。この撮像及び寝台移動を順番に繰り返し、例えば下肢などの所望の全撮像領域を撮像する。撮像が終わると、各回の画像を例えば体軸方向に沿って並べるか、又は、１枚の画像に合成して診断に供せられる。
【０００５】
このムービング・ベッド法には更に、全身用コイルを用いて寝台移動を行う手法と、マルチＲＦコイルを用いる手法とがある。
【０００６】
全身用コイルを用いる手法の場合、全身用コイルはマグネット側に固設されるので、寝台を所定撮像領域の距離分ずつステップ状に移動させ、移動させる度に、新しい寝台位置で撮像すればよい。
【０００７】
図１７に、全身用コイル１０１を用いてムービング・ベッド法を実施できる磁気共鳴イメージング装置の一例を示す。同図において、符号１０２は静磁場を発生させるマグネットである。全身用コイル１０１に、デュプレクサ１０３を介して、送信器１０４及びプリアンプ１０５が接続される。プリアンプ１０５は受信系回路１０６に接続され、両者で受信器を構成している。システム全体の制御を担うホスト計算機１０７がシーケンサ１０８を介して送信器１０４及び傾斜磁場アンプ１０９を制御して所定のパルスシーケンスを実行する。ホスト計算機１０７には入力器１０９、表示装置１１０、及び記憶装置１１１が接続される。なお、ホスト計算機１０７は図示しない寝台駆動装置を制御して、寝台天板１１２を移動可能になっており、これにより、ムービング・ベッド法が実施される。
【０００８】
これに対し、マルチＲＦコイルを用いる手法の場合、マルチＲＦコイル自体が被検体若しくは寝台に固定され、寝台と共に移動可能である。マルチＲＦコイルは、例えば、アレイ状に配置された複数の組のコイル素子（コイル群）からなる。この場合、各組のコイル素子は寝台の移動に伴ってマグネットボア内の静磁場均一領域に入ったり出たりしながらの撮像になる。
【０００９】
そこで、マルチＲＦコイルをムービング・ベッド法に適用するには、各組のコイル素子による撮像領域を１画像分の撮像領域に対応させ、複数組のコイル素子全部で被検体の所望撮像領域をカバーさせる手法が考えられる。
【００１０】
図１８に、このマルチＲＦコイルを用いてムービング・ベッド法を実施する磁気共鳴イメージング装置の一例を示す。マルチＲＦコイル１２１は３個のコイル素子１〜３から成る。コイル素子１〜３は、夫々、独立にプリアンプ１０５ａ〜１０５ｃ、受信系回路１０６ａ〜１０６ｃを介してホスト計算機１０７に至る。図１７の構成に、このマルチＲＦコイル１２１及びこのコイルの検出信号を受信処理する回路が付加されている。
【００１１】
一方、上述した撮像時間の短縮化の要求に対しては、傾斜磁場スイッチ時間をより短くするためのブースタ技術の改善など、ハードウェアの高性能化が進められている。
【００１２】
他には、造影剤の通過の様子を高い時間分解能で観察するための高時間分解能ダイナミック撮像法が知られている。この撮像法は、予め１画像分のデータ収集を行っておき、ダイナミック撮像時には、画像再構成用ｋ空間の中心付近のデータのみを更新するキーホールイメージング法（例えば、非特許文献１参照）、ｋ空間全体を新しいデータに置き換えてから画像再構成を実施するという手順の代わりに、画像更新レートを高めるため、予めｋ空間をいくつかの領域に分割し、その一部の領域が新しい収集データに置き換わる度に画像を再構成する、いわゆるビューシェア（Ｖｉｅｗ  Ｓｈａｒｅ）と呼ばれる手法がある（例えば特許文献１参照）。また、キーホールイメージング法を３ＤのＭＲＡ用に改良した、３Ｄ−ＴＲＩＣＫＳと呼ばれる手法（例えば特許文献２参照）も有り、ｋ空間でのデータ更新レートに関してｋ空間の中心付近領域を他の領域よりも高めることにより、通常のビューシェアよりも更に高い時間分解能で造影剤の通過状態を観察しようとする手法もある。
【００１３】
しかしながら、前述した各種の従来技術の内、撮像広範囲化のためのマルチＲＦコイルを用いたムービング・ベッド法の場合、寝台を撮像領域の距離分ずつ移動させる毎に、複数組のコイル素子を切り替えて静磁場均一領域に位置する１組のマルチＲＦコイルを選択する必要がある。これを行うには、操作者は寝台の移動量を目視しながら手動で切り替えることになるので、そのようにすると、操作が煩雑になり、時間も掛かる上に、正確さにも欠ける。
【００１４】
一方、前述した撮像短時間化及び高時間分解能化についても、現時点のハードウェア技術を以ってしても、また前述したキーホールイメージング法などの撮像法を用いた場合でも、時間分解能は依然として物足りないという現状がある。加えて、前述したキーホールイメージング法などの撮像法は、基本的には、ｋ空間の一部のデータを更新することにより見掛け上の時間分解能を高めているに過ぎないため、微細な構造に対する描出能が不足している。また、前述したキーホールイメージング法などの撮像法は、被検体の撮像領域が一定で、造影剤に因る一部の輝度変化を観察する場合には、適用可能であるが、寝台を移動させながら異なる領域を順次、高速に撮像する手法には実施できない。
【００１５】
この撮像高速化に関しては、ほぼ全ての磁気共鳴撮像法の高速化に対応可能な方法として、近年、マルチＲＦコイルを用いて撮像時間を短縮する方法が注目されている（例えば、「１０ｔｈ  Ａｎｎ．  Ｓｃｉｅｎｔｉｆｉｃ  Ｍｅｅｔｉｎｇ  ＳＭＲＭ  １２４０  （１９９１）」参照）。この方法は、１枚の画像再構成に必要なエンコード数を減らして撮像を行い、その結果生じる折り返し現象を、マルチＲＦコイルを成す複数のコイル素子の感度分布が夫々異なることを利用して分解し、折返しの無い画像を得るものである。この撮像法は、基本的に、通常の撮像法とは異なり、コイル素子数に比例してエンコード数を減らすことができるため、撮像時間を短縮させることができる。
【先行技術文献】
【特許文献】
【００１６】
【特許文献１】米国特許第４，８３０，０１２号明細書
【特許文献２】米国特許第５，７１３，３５８号明細書
【非特許文献】
【００１７】
【非特許文献１】“Ｒ．Ａ．Ｊｏｎｅｓ  ｅｔ  ａｌ．，  “Ｄｙｎａｍｉｃ，  ｃｏｎｔａｓｔ  ｅｎｈａｎｃｅｄ，  ＮＭＲ  ｐｅｒｆｕｓｉｏｎ  ｉｍａｇｉｎｇ  ｏｆ  ｒｅｇｉｏｎａｌ  ｃｅｒｅｂｒａｌ  ｉｓｃｈａｅｍｉａ  ｉｎ  ｒａｔｓ  ｕｓｉｎｇ  ｋ  ｓｐａｃｅ  ｓｕｂｓｔｉｔｕｔｉｏｎ，”  ＳＭＲＭ  １９９２，ｐ．１１３８
【発明の概要】
【発明が解決しようとする課題】
【００１８】
しかしながら、この高速撮像法をムービング・ベッド法に適用する場合、従来の１個の全身用コイルを用いる撮像には使用できない。また、マルチＲＦコイルを高速撮像法に用いた場合、既に述べたように、操作者が寝台の移動量を認識しながら、複数組のコイル素子（セット）を切り替える必要があるので、上述の高速撮像法のメリットを十分に活かすことができない。
【００１９】
本発明は、上述した従来技術が抱える状況に鑑みてなされたもので、受信用ＲＦコイルとしてマルチＲＦコイルを用い、ムービング・ベッド法（寝台移動法）に基づき撮像を行う場合、操作上の省力化、撮像の迅速化、及び寝台移動の正確さ向上を図ることを、第１の目的とする。
【００２０】
また、本発明は、受信用ＲＦコイルとしてマルチＲＦコイルを用い、ムービング・ベッド法に基づき撮像を行う場合、時間分解能を向上させた高速撮像法を容易に実施して、描出能を向上させたＭＲ画像を提供することを、第２の目的とする。
【００２１】
さらに、本発明は、受信用ＲＦコイルが１個しか設けられていない場合であっても、被検体を載せた寝台（天板）の移動を利用して高速撮像法を実施できるようにすることを、第３の目的とする。
【００２２】
さらに、本発明は、被検体を載せた寝台（天板）の移動を利用して高速に造影ＭＲアンギオグラフィ（ＭＲＡ）を実施でき、ムービング・ベッド法の汎用性を高めることを、第４の目的とする。
【課題を解決するための手段】
【００２３】
上記目的を達成するため、本発明に係る磁気共鳴イメージング装置の１つの形態によれば、磁場強度が一様な均一領域を含む静磁場を発生する静磁場発生手段と、被検体を載せるとともに前記静磁場を通過する所定方向に移動可能な寝台と、前記被検体に対して設置される複数のコイル体から成る受信用のマルチＲＦコイルと、前記所定方向における前記寝台と前記マグネットとの間の相対的な位置を前記複数のコイル体夫々の当該所定方向の長さに応じて自動的に変更する位置変更手段と、この位置変更手段により変更された位置夫々にて所定のパルス列の前記被検体に印加するスキャンを行うスキャン手段と、このスキャン手段によるパルス印加に伴って前記被検体から発生するエコー信号を前記マルチＲＦコイルを介して受信する受信手段と、この受信手段により受信されたエコー信号に所定の受信処理を付してエコーデータに変換する受信処理手段と、この受信処理手段により変換されたエコーデータに基づきＭＲ画像を生成する画像生成手段とを備えたことを特徴とする。
【００２４】
好適には、前記所定方向は、前記寝台の長手方向であり、前記位置変更手段は、前記長手方向における前記寝台の位置を前記静磁場発生手段に対して移動させる手段である。この場合、前記位置変更手段は、前記複数のコイル体の前記長手方向における中心位置が前記静磁場の均一領域に一致するように前記位置を変更する手段であってもよい。更に、前記受信処理手段は、前記複数のコイル要素夫々により受信されたエコー信号の内、前記静磁場の均一領域の前記長手方向における中心位置に位置するコイル要素が受信したエコー信号を自動的に選択して前記画像生成手段に与える選択手段を有していてもよい。例えば、前記選択手段は、前記複数のコイル体により受信されたエコー信号のレベルを検出する信号レベル検出手段と、この信号レベル検出手段により検出されるエコー信号のレベルの変化に基づいて、前記静磁場の均一領域の前記長手方向における中心位置に位置するコイル体が受信したエコー信号を自動的に選択する信号選択手段とを備えることができる。
【００２５】
また、好適には、前記複数のコイル体に備えられ且つ当該コイル体の夫々に固有のＩＤ番号を発生するＩＤ発生手段と、このＩＤ発生手段が発生するＩＤ番号に対応した前記複数のコイル体夫々の前記長手方向のサイズを記憶するサイズ記憶手段と、前記複数のコイル体夫々からの信号線を個々に識別し且つ前記長手方向に沿った当該複数のコイル体の配置状態を検出する配置検出手段と、この配置検出手段により検出されるコイル配置状態の検出情報を前記サイズ記憶手段に参照して前記サイズを判断する判断手段とを備えるとともに、前記位置変更手段は、前記判断手段により判断されたサイズに基づき前記寝台の位置を移動させる手段を有し、前記受信処理手段は、前記複数のコイル体夫々により受信されたエコー信号の内、前記静磁場の均一領域の前記長手方向における中心位置に位置するコイル体が受信したエコー信号を、前記判断手段により判断されたサイズ及び前記配置検出手段により検出されたコイル配置状態に基づいて自動的に選択して前記画像生成手段に与える選択手段を有していてもよい。
【００２６】
更に、好適には、前記パルスシーケンスは、１枚の画像再構成に必要な所定のエンコード数よりも少ないエンコード数を有するパルスシーケンスであり、前記位置変更手段は、前記マルチＲＦコイルを成す複数のコイル体の内、相互に隣接する２つのコイル体の感度分布領域が前記長手方向においてオーバーラップする領域が前記静磁場の均一領域に一致するように前記位置を変更するとともに、前記各コイル体の前記長手方向における長さ分ずつ前記寝台を移動させる手段であり、前記画像生成手段は、前記位置変更手段により変更される位置毎に前記受信処理手段によって生成される前記エコーデータの組に前記複数のコイル体の感度分布が異なることを利用したアンフォールディング処理を行う手段であってもよい。
【００２７】
更に好適には、前記マルチＲＦコイルを成す複数のコイル体の夫々は、複数のコイル要素から成るアレイタイプのＲＦコイルである。
【００２８】
更に、例えば、前記マルチＲＦコイルを成す複数のコイル体の夫々は、複数の短軸の全身用コイルから成るＲＦコイルである。
【００２９】
更に、前記マルチＲＦコイルは、前記被検体又は前記寝台に固定的に取り付けられていてもよい。
【００３０】
本発明に係る磁気共鳴イメージング装置の別の態様によれば、磁場強度が一様な均一領域を含む静磁場を発生する静磁場発生手段と、被検体を載せるとともに前記静磁場を通過する所定方向に移動可能な寝台と、この寝台に固設され且つ前記被検体に対して設置される少なくとも１個の受信ＲＦコイルと、前記所定方向における前記寝台と前記マグネットとの間の相対的な位置を自動的に変更する位置変更手段と、この位置変更手段により変更された位置夫々にて所定のパルス列を前記被検体に印加するスキャンを行うスキャン手段と、このスキャン手段によるパルス印加に伴って前記被検体から発生するエコー信号を前記受信ＲＦコイルを介して受信する受信手段と、この受信手段により受信されたエコー信号を所定の受信処理を付してエコーデータに変換する受信処理手段と、この受信処理手段により変換されたエコーデータに基づきＭＲ画像を生成する画像生成手段とを備えたことを特徴とする。
【００３１】
また、一例として、前記受信ＲＦコイルの数は１つである。
【００３２】
例えば、この受信ＲＦコイルは送受信兼用の全身用ＲＦコイルである。この場合、例えば、前記パルス列は、１枚の画像再構成に必要な所定のエンコード数よりも少ないエンコード数を含み、前記画像生成手段は、前記位置変更手段により変更される位置毎に前記受信処理手段によって生成される前記エコーデータの組に前記複数のコイル体の感度分布が異なることを利用したアンフォールディング処理を行う手段である。一例として、前記位置変更手段は、前記受信ＲＦコイルの前記長手方向における長さの１／２分ずつ前記寝台を移動させる手段である。
【００３３】
更に好適には、前記位置変更手段は、前記被検体の撮像部位を前記受信ＭＲコイルの感度分布領域から一部ずれた状態で位置させる第１の寝台位置と、前記被検体の撮像部位を前記受信ＭＲコイルが前記感度分布領域に入る状態で位置させる第２の寝台位置とに前記寝台を移動させる手段であり、前記寝台が前記第２の寝台位置に在るときに前記被検体に造影剤の注入を指示する指示手段を備えていてもよい。この場合、一例として、前記パルス列は、１枚の画像再構成に必要な所定のエンコード数よりも少ないエンコード数を含み、前記スキャン手段は、前記寝台が前記第１の寝台位置に在るときに前記受信ＲＦコイルの感度分布を測定するための第１の感度分布測定用スキャン及び前記撮像部位の画像を得る第１の撮像用スキャンを行うとともに、前記寝台が前記第２の寝台位置に在るときに前記受信ＲＦコイルの感度分布を測定するための第２の感度分布測定用スキャン及び第２の前記撮像部位の画像を得る複数回の撮像用スキャンを行う手段であり、前記画像生成手段は、前記第１及び第２の撮像用スキャンに拠るエコーデータを夫々、画像データに再構成する手段と、前記第１及び第２の感度分布測定用スキャンのエコーデータ及び前記第１の撮像用スキャンに拠る画像データを用いて前記各回の前記第２の撮像用スキャンに拠る画像データをアンフォールディング処理する手段とを有する。
【００３４】
更に、例えば、前記受信ＲＦコイルの数は１つである。
【００３５】
一方、本発明に係る磁気共鳴イメージング方法は、受信ＲＦコイルを用いて寝台上の被検体の画像をサブエンコーディング法（高速撮像法）に拠り撮像するＭＲイメージング方法であり、前記被検体の撮像部位と前記受信ＲＦコイルとの間の複数の位置関係における前記受信ＲＦコイルのコイル感度分布のデータと画像データをデータ収集手段により収集し、前記コイル感度分布データを用いて前記各位置において収集された画像データにデータ処理手段によりアンフォールディング処理を付すことを特徴とする。
【００３６】
本発明のその他の態様に係る具体的な構成及び特徴は、以下に記す発明の実施形態及び添付図面により明らかにされる。
【発明の効果】
【００３７】
以上説明したように、本発明の磁気共鳴イメージング装置及びＭＲイメージング方法によれば、受信用ＲＦコイルとしてマルチＲＦコイルを用い、ムービング・ベッド法（寝台移動法）に基づき撮像を行う場合、寝台移動に伴うコイル切替の操作が不要であり、操作上の省力化、撮像の迅速化、及び寝台移動の正確さの向上を図ることができる。
【００３８】
また、本発明は、受信用ＲＦコイルとしてマルチＲＦコイルを用い、ムービング・ベッド法に基づき撮像を行う場合、時間分解能を向上させた高速撮像を容易に実施して、描出能を向上させたＭＲ画像を提供することができる。
【００３９】
さらに、本発明によれば、受信用ＲＦコイルが１個しか設けられていない場合であっても、ムービング・ベッド法を利用して高速撮像法を実施できる。さらに、本発明によれば、ムービング・ベッド法を利用して高速に造影ＭＲアンギオグラフィ（ＭＲＡ）を実施でき、ムービング・ベッド法の汎用性を高めることができる。
【図面の簡単な説明】
【００４０】
【図１】本発明の第１の実施形態に係る、マルチＲＦコイルを用いてムービング・ベッド法に拠り撮像を行なう磁気共鳴イメージング装置の概略構成を示すブロック図。
【図２】第１の実施形態で実行されるムービング・ベッド法に拠る撮像の概略手順を説明するフローチャート。
【図３】本発明の第２の実施形態に係る、マルチＲＦコイルを用いてムービング・ベッド法に拠り撮像を行なう磁気共鳴イメージング装置の概略構成を示すブロック図。
【図４】本発明の第３の実施形態に係る、マルチＲＦコイルを用いてムービング・ベッド法に拠り撮像を行なう磁気共鳴イメージング装置の部分的な概略構成を示すブロック図。
【図５】ＩＤ発生器のスイッチ位置とコイル情報の対応関係を説明する図。
【図６】ＩＤ発生器からの情報に基づく天板移動制御の概要を説明するフローチャート。
【図７】変形形態に係る、コイル素子の位置を認識するためのマーカを説明する図。
【図８】本発明の第４の実施形態に係る、マルチＲＦコイルを用いて寝台移動に拠り高速撮像を実施する磁気共鳴イメージング装置の部分的な概略構成図。
【図９】本発明の第５の実施形態に係る、マルチＲＦコイルを用いて寝台移動に拠り高速撮像を実施する磁気共鳴イメージング装置の部分的な概略構成図。
【図１０】本発明の第６の実施形態に係る、マルチ全身用コイルを用いて寝台移動により高速撮像をする磁気共鳴イメージング装置の概略構成図。
【図１１】変形形態に係る、マルチ全身用コイルの構成を説明する図。
【図１２】本発明の第７の実施形態に係る、１つの全身用コイルを用いて寝台移動に拠り高速撮像をするときのコイル位置と撮像領域との説明図。
【図１３】本発明の第８の実施形態に係る、１つの受信コイルを用いて寝台移動に拠る高速造影ＭＲＡを行う磁気共鳴イメージングの概略構成図。
【図１４】寝台の天板の移動位置（第１、第２の寝台天板位置）と受信コイルの感度領域との位置関係を説明する図。
【図１５】高速造影ＭＲＡを実施するときのホスト計算機の処理の概要を説明するフローチャート。
【図１６】高速造影ＭＲＡのスキャン、寝台移動、造影剤注入のタイミング及びアンフォールディングの処理に用いるデータを説明する図。
【図１７】従来例に係る、全身用コイルを用いてムービング・ベッド法に拠る撮像を行なう磁気共鳴イメージング装置の概略構成図。
【図１８】従来例に係る、マルチＲＦコイルを用いてムービング・ベッド法に拠る撮像を行なう磁気共鳴イメージング装置の概略構成図。
【発明を実施するための形態】
【００４１】
以下、本発明の実施の形態を添付図面に基づき説明する。
【００４２】
（第１の実施形態）
第１の実施形態に係るＭＲＩ（磁気共鳴イメージング）装置を、図１及び図２を参照して説明する。
【００４３】
この磁気共鳴イメージング装置は、マルチＲＦコイルを用いて寝台移動に拠る撮像法（ムービング・ベッド法）を実施する装置である。
【００４４】
この磁気共鳴イメージング装置の概略構成を図１に示す。この磁気共鳴イメージング装置は、被検体としての患者Ｐを載せる寝台部と、静磁場を発生させる静磁場発生部と、静磁場に位置情報を付加するための傾斜磁場発生部と、高周波信号を送受信する送受信部と、システム全体のコントロール及び画像再構成を担う制御・演算部とを備えている。
【００４５】
静磁場発生部は、例えば超電導方式の磁石１と、この磁石１に電流を供給する静磁場電源２とを備え、被検体Ｐが遊挿される円筒状の開口部（診断用空間）の軸方向（本システムに設定された直交座標軸ではＺ軸方向に相当する）に静磁場Ｈ０を発生させる。なお、この磁石部には、図示しないシムコイルが設けられている。このシムコイルには、シムコイル電源から静磁場均一化のための電流が供給される。これにより、磁石１が発生する静磁場内に、磁場均一度が一定値以内に保持される静磁場均一領域（診断領域）が形成される。
【００４６】
寝台部は、被検体Ｐを載せた天板１４Ｔを磁石１の開口部に退避可能に挿入できる。この挿入は、寝台駆動装置１４Ｄによってなされる。寝台駆動装置１４Ｄは、後述するホスト計算機６から与えられる駆動信号に応答して、天板１４Ｔをその長手方向（Ｚ軸方向）に移動できるようになっている。被検体Ｐは、一例として、天板１４Ｔの長手方向に沿って載せられる。
【００４７】
傾斜磁場発生部は、磁石１に組み込まれた傾斜磁場コイルユニット（図示せず）を備える。この傾斜磁場コイルユニットは、互いに直交するＸ、Ｙ及びＺ軸方向の傾斜磁場を発生させるための３組（種類）のｘ，ｙ，ｚコイルを備える。この傾斜磁場発生部は更に、ｘ，ｙ，ｚコイルに電流を供給する傾斜磁場アンプ４を備える。この傾斜磁場アンプ４は、後述するシーケンサ５の制御のもと、ｘ，ｙ，ｚコイル夫々に傾斜磁場を発生させるためのパルス電流を供給する。
【００４８】
傾斜磁場アンプ４からｘ，ｙ，ｚコイルに供給されるパルス電流を制御することにより、物理軸である直交３軸Ｘ，Ｙ，Ｚ方向の傾斜磁場を合成して、互いに直交するスライス方向傾斜磁場Ｇｓ、位相エンコード方向傾斜磁場Ｇｅ、および読出し方向（周波数エンコード方向）傾斜磁場Ｇｒの各論理軸方向を任意に設定・変更することができる。スライス方向、位相エンコード方向、及び読出し方向の各傾斜磁場は、静磁場Ｈ０に重畳される。
【００４９】
送受信部は、磁石１のボア内の撮像空間において被検体Ｐの近傍に配設されるＲＦコイルとしての全身（ＷＢ）用コイル７Ｔ及びマルチＲＦコイル７Ｒと、このコイル７Ｔ及び７Ｒに接続された送信器８Ｔ及び受信器８Ｒとを備える。
【００５０】
全身用コイル７Ｔは、このコイルを単独のＲＦコイルとして使用するときは、送受信兼用コイルとして使用される。一方、マルチＲＦコイル７Ｒ（受信コイル）を使用するときには、全身用コイル７Ｔは送信用コイルとして使用される。
【００５１】
マルチＲＦコイル７Ｒは、Ｓ／Ｎを高く設定できるアレイタイプのコイルとして構成されており、静磁場均一領域（診断領域）に、少なくとも１個のアレイコイル（１個のアレイコイルは複数のコイル素子から成るので、「コイル群」と呼ぶことにする）がムービング・ベッド法に拠り順次配置される。このアレイコイルは、本発明のコイル体に対応する。一例として、本実施形態では、寝台の天板１４Ｔに設置される３つのコイル群１〜３によりマルチＲＦコイル７Ｒが形成されている。各コイル群１（〜３）は複数のコイル素子が配列されたアレイコイルである。コイル群１〜３は、被検体に取り付けるようにしてもよい。３つのコイル群１〜３の出力線は互いに独立して、しかも、そのコイル素子毎にホスト計算機６に接続され、これにより、各コイル素子からの出力信号は独立してホスト計算機６に送られる。
【００５２】
送信器８Ｔ及び受信器８Ｒは、後述するシーケンサ５の制御の基で動作する。送信器８Ｔは、被検体Ｐの磁化スピンに核磁気共鳴（ＮＭＲ）を起こさせるためのラーモア周波数のＲＦ電流パルスを全身用コイル７Ｔに供給する。受信器８Ｒは、全身用コイル７Ｔ又はマルチＲＦコイル７Ｒが受信したエコー信号（高周波信号）を取り込み、エコーデータ（原データ）を生成する。
【００５３】
受信器８Ｒは、具体的には図１に示す如く、全身用コイル側の受信部とマルチＲＦコイル側の受信部とに分かれている。
【００５４】
全身用コイル側の受信部は、全身用コイル７Ｔに接続されたデュプレクサ８１と、このデュプレクサ８１に接続されたプリアンプ８２と、このプリアンプ８２の受信信号を受ける受信系回路８３とを備える。デュプレクサ８１には送信器８Ｔも接続されている。
【００５５】
これにより、デュプレクサ８１は、送信時には送信器８Ｔからの送信駆動パルスを全身用コイル７Ｔに向けて通過させる一方で、受信時には全身用コイル７Ｔが検出したエコー信号をプリアンプ８２に向けて通過させる。プリアンプ８２は、受信エコー信号を前置増幅して受信系回路８３に送る。受信系回路８３は、入力したエコー信号に中間周波変換、位相検波、低周波増幅、フィルタリングなどの各種の信号処理を施した後、Ａ／Ｄ変換を施してエコーデータ（原データ）を生成し、これをホスト計算機６に送る。
【００５６】
一方、マルチＲＦコイル側の受信部は、コイル群１（〜３）毎に且つコイル素子毎に、マルチＲＦコイル７Ｒからのエコー信号を受けるプリアンプ群８４Ａ〜８４Ｃを備える。各プリアンプ群８４Ａ（〜８４Ｃ）の出力線は、その線を着脱自在に接続可能なコネクタボックス８５Ａ（〜８５Ｃ）を介して入力切替器８６の各入力端に至る。コネクタボックス８５Ａ〜８５Ｃに対するプリアンプ群８４Ａ〜８４Ｃの接続位置（又は接続順）は、夫々、予め決められている。
【００５７】
入力切替器８６は例えばマルチプレクサで成り、後述するホスト計算機６から送られてくる切替制御信号ＳＳにより切り替えられる。したがって、入力切替器８６は、プリアンプ群８４Ａ〜８４Ｃからの入力信号の何れかをその出力端に選択的に切り替えできる。入力切替器８６の出力端は、別の受信系回路８７を介してホスト計算機６に至る。このため、この受信系回路８７も前述と同様に、入力したエコー信号に中間周波変換、位相検波、低周波増幅、フィルタリングなどの各種の信号処理を施した後、Ａ／Ｄ変換を施してエコーデータを生成し、これをホスト計算機６に送る。
【００５８】
さらに、制御・演算部は、シーケンサ（シーケンスコントローラとも呼ばれる）５、ホスト計算機６、記憶装置１１、表示装置１２、及び入力器１３を備える。
【００５９】
この内、ホスト計算機６は、その内部メモリ又は記憶装置１１に記憶したソフトウェア手順に基づいて、シーケンサ５にパルスシーケンス情報を送るとともに、装置全体の動作を統括するほか、エコーデータに再構成処理を施して画像データを演算する機能、寝台駆動装置１４Ｄの駆動を制御する機能、及び、複数回の撮像の各回毎に入力切替器８６に切替制御信号ＳＳを送って当該切替器を選択的に切り替える機能を有する。この切替機能は、所定の順番で入力切替器８６の入出力経路が切り替えられるように予めソフトウェア手順で設定されている。
【００６０】
パルスシーケンス情報に拠るイメージングスキャンは、画像再構成に必要なエコーデータの組を収集するスキャンである。パルスシーケンスには、３次元（３Ｄ）スキャン又は２次元（２Ｄ）スキャン）のシーケンスが使われる。そのパルス列の形態としては、ＳＥ（スピンエコー）法、ＦＳＥ（高速ＳＥ）法、ＦＡＳＥ（高速  Ａｓｙｍｍｅｔｒｉｃ  ＳＥ）法（すなわち、高速ＳＥ法にハーフフーリエ法を組み合わせたイメージング法）、ＥＰＩ（エコープラナーイメージング）法、ＦＥ（グラジェントエコー）法、ＦＦＥ（高速ＦＥ）法、セグメンティドＦＦＥ法、などが用いられる。
【００６１】
シーケンサ５は、ＣＰＵ及びメモリを備えており、ホスト計算機６から送られてきたパルスシーケンス情報を記憶し、この情報にしたがって傾斜磁場アンプ４、送信器８Ｔ、受信器８Ｒの動作を制御する。パルスシーケンス情報とは、一連のパルスシーケンスに従って傾斜磁場アンプ４、送信器８Ｔおよび受信器８Ｒを動作させるために必要な全ての情報であり、例えばｘ，ｙ，ｚコイルに印加するパルス電流の強度、印加時間、印加タイミングなどに関する情報を含む。
【００６２】
受信器８Ｒにより処理されたエコーデータ（原データ又は生データ）は、ホスト計算機６に送られる。ホスト計算機６には、所定の演算プログラムに基づき画像再構成機能が与えられている。このため、ホスト計算機６は、その演算機能によって、受信器８Ｒが出力したエコーデータをその内部メモリ上のフーリエ空間（ｋ空間又は周波数空間とも呼ばれる）に配置し、このエコーデータを各組毎に２次元又は３次元のフーリエ変換に付して実空間の画像データに再構成する。この画像データは、表示装置１２に表示されるとともに、記憶装置１１に記憶される。術者が希望する撮影条件、パルスシーケンス、画像合成や差分演算に関する情報は、入力器１３を介してホスト計算機６に入力される。
【００６３】
なお、記憶装置１１には、図示しないが、本発明に係るムービング・ベッド法及び寝台移動を伴う高速撮像法に拠るＭＲイメージングを実行するためのプログラムを格納したメモリ（記録媒体）を有している。このプログラムは、装置の起動時にホスト計算機６に読み込まれて、ＭＲイメージングの実施に供される。
【００６４】
この磁気共鳴イメージング装置によれば、図２に示す如く、ムービング・ベッド法に拠る撮像が実行される。同図の処理はホスト計算機６により指令される。
【００６５】
最初に、寝台の天板１４Ｔを移動させて、例えば、先頭位置に在るコイル群１のＺ軸方向中心位置が静磁場均一領域のＺ軸方向中心位置に一致するように位置決めされる（図２、ステップＳ１１）。この位置決めに呼応して、ホスト計算機６は入力切替器８６に切替制御信号ＳＳを送り、その入力側切替端を「１」、すなわちコネクタボックス８５Ａ（すなわちプリアンプ群８４Ａ）側に切り替える（図２、ステップＳ１２）。
【００６６】
この天板位置及び切替位置の状態で、シーケンサ５からのパルスシーケンス情報に従って１回目のスキャンが実行される（図２、ステップＳ１３）。このスキャンにより、マルチＲＦコイル７Ｒを介して収集された全てのコイル群１〜３からのエコー信号は受信器８Ｒに送られる。しかし、受信器８Ｒでは、入力切替器８６の入力経路がコイル群１側に切り替えられているため、コイル群１で検出されたエコー信号だけが受信系回路８７に送られる。
【００６７】
このため、受信系回路８７により、コイル群１で検出されたエコー信号が受信処理されてエコーデータに変換され、ホスト計算機６に送られる。すなわち、全コイル群１〜３で検出されるエコー信号の内、その時点で、静磁場均一領域に存在しているコイル群からのエコー信号のみが処理されてホスト計算機６に送られる（図２、ステップＳ１４）。
【００６８】
ホスト計算機６は、コイル群１が検出したエコー信号に基づくエコーデータを再構成処理に付す（図２、ステップＳ１５）。これにより、被検体Ｐのスライス又はスラブの実空間画像データが得られる。この画像データは、ホスト計算機６の内部メモリ又は記憶装置１１に一次的に記憶される。
【００６９】
この後、２回目のスキャンに対処すべく、２番目のコイル群２が静磁場均一領域のＺ軸方向中心に位置するように、寝台の天板１４Ｔ（被検体Ｐ）がＺ軸方向に１撮像領域分の距離だけ移動される（図２、ステップＳ１６）。すなわち、コイル群１〜３が同一サイズで構成されている場合、このＺ軸方向の天板移動量は同一量となる。この位置決めに呼応して、ホスト計算機６は入力切替器８６に切替制御信号ＳＳを送り、その入力側切替端を「２」、すなわちコネクタボックス８５Ｂ（すなわちプリアンプ群８４Ｂ）側に切り替える（図２、ステップＳ１２）。この位置合わせ及び入力切替えの状態で、前述と同様に２回目のスキャンが行われる（図２、ステップＳ１３）。この結果、２番目のコイル群２により検出されたエコー信号のみが受信系回路８７で受信処理され、そのエコーデータがホスト計算機６に送られる。ホスト計算機６により、このエコーデータが画像データに再構成される（図２、ステップＳ１３〜Ｓ１５）。
【００７０】
同様に、１撮像領域分の距離だけ、天板１４Ｔの位置をＺ軸方向に更に移動させるとともに、入力切替器８６の端子位置を入力側切替端を「３」（すなわちプリアンプ群８４Ｃ）側に切り替え、この状態で前述と同様に３回目のスキャンが行われる（図２、ステップＳ１６、Ｓ１７、Ｓ１２、Ｓ１３）。この結果、３番目のコイル群３により検出されたエコー信号のみが受信系回路８７で受信処理され、そのエコーデータがホスト計算機６に送られる。ホスト計算機６により、このエコーデータが画像データに再構成される（図２、ステップＳ１４、Ｓ１５）。
【００７１】
このように受信用ＲＦコイルとして、マルチＲＦコイル７Ｒを用い、ムービング・ベッド法に拠り各回のスキャンが実行される。エコーデータの収集が終わると、ホスト計算機６は、各コイル群１（〜３）に拠るエコー信号検出に応じて再構成されていた複数枚の画像を、そのＸ軸方向の位置を合わせて全体画像に合成する。これにより、例えば、下肢全体をカバーするコロナル像を得ることができる。
【００７２】
したがって、本実施形態の磁気共鳴イメージング装置に拠れば、マルチＲＦコイル７Ｒを成す複数のコイル群１〜３に対する受信系回路は１個で済む。したがって、受信系回路の数を従来法に比べて大幅に減らすことができる。とくに、同回路に内蔵するメモリバッファの容量を格段に減少させることができる。また、オペレータが天板位置を目視してその位置をマニュアル設定する必要も無いので、操作を大幅に省力化できると共に、天板も正確に撮像位置に位置決めできる。また、この天板移動の自動化に拠って、撮像も迅速化される。
【００７３】
これに対し、従来法に係る図１８に示す構成の場合、マルチＲＦコイルからの全コイル群のエコー信号が全て夫々の受信系回路を介してホスト計算機に送られる。このため、コイル群が少ない場合は未だよいが、各コイル群で用いられるコイル素子数が多い場合、受信系回路がそれだけ多くなる。このため、Ａ／Ｄ変換後のエコーデータを一次的に蓄積するバッファメモリの記憶容量が膨大になる。例えば、各々のコイル群（アレイコイル）が４チャンネルのアレイタイプのコイル素子で成り、３コイル群を用いる場合、合計１２チャンネル分の受信系回路が必要になる。これに対し、本実施形態に係る受信器８Ｒの構成によれば、プリアンプをコイル群毎に且つアレイコイル素子毎に用意すると共に入力切替器を１個用意することを除いて、受信系回路が１系統で済み、回路規模も大幅に減じられる。
【００７４】
（第２の実施形態）
図３を参照して、本発明の第２の実施形態を説明する。この実施形態は、上述の入力切替器８６の切替制御をエコー信号のレベルに応じて行うことを特徴とする。
【００７５】
図３に示す磁気共鳴イメージング装置によれば、受信器８ＲのマルチＲＦコイル側の受信部において、プリアンプ群８４Ａ〜８４Ｃとコネクタボックス８５Ａ〜８５Ｃとの間に、信号レベル検出器８８Ａ〜８８Ｃが夫々、コイル群毎に介挿されている。信号レベル検出器８８Ａ〜８８Ｃの夫々は、コイル群毎に、各コイル群１（〜３）からのエコー信号のレベル（パワー）を検出する。これらの検出器８８Ａ〜８８Ｃからの検出信号ＳＣは、ホスト計算機６に送られる。
【００７６】
マルチＲＦコイル７Ｒはその全体が各回の撮像毎にＺ軸方向にて移動するので、そのコイル群１〜３が順次、静磁場均一領域に入るとともに、その領域から順次、反対方向に出ていく。このため、静磁場均一領域に存在するコイル群からのエコー信号は、そうでないコイル群からのエコー信号に比べて、信号レベルが高い。そこで、ホスト計算機６は信号レベル検出器８８Ａ〜８８Ｃからの検出信号ＳＣを入力し、その信号レベルを判別する。具体的には、最も高い信号レベルを供するコイル群が判別される。ホスト計算機６は切替制御信号ＳＳを入力切替器８６に送り、判別したコイル群からのエコー信号が受信系回路８７に送られるように切替器の経路を切り替えさせる。
【００７７】
このほかの構成及びムービング・ベッド法に拠る撮像は、第１の実施形態のものと同様である。
【００７８】
このように、各コイル群１〜３からの信号レベルに基づいて受信経路が自動的に切り替えられる。したがって、前述したと同様に、受信系回路はマルチＲＦコイル７Ｒに対しては１系統で済み、その構成が大幅に簡素化され、装置の小形化も図られる。
【００７９】
また、撮像毎の寝台移動量を設定したり、各コイル群がいつ静磁場均一領域（診断領域）に位置していたかの情報を知る必要もなく、コイル群１〜３のＺ軸方向の長さが異なっていても、またコイル群１〜３がＺ軸方向に対して傾斜して設置されている場合でも、自動的に切り替えられ、操作上の大幅な省力化が図られる。
【００８０】
なお、この実施形態に係る磁気共鳴イメージング装置において、マルチＲＦコイル７Ｒのコイル群１〜３が、夫々、静磁場均一領域にＺ軸方向中心位置を合わせて存在していたときのエコー信号レベルを記憶しておき、これを天板１４Ｔの移動制御に利用することもできる。具体的には、シーケンサ５が位置決めスキャンを周期的に実行させながら、ホスト計算機６が天板１４ＴのＺ軸方向の移動を制御する。天板１４Ｔが初期位置に在る状態から、信号レベル検出器８８Ａ〜８８Ｃの検出信号が既設定の信号レベルに到達するまで、各回の撮像毎に、天板１４Ｔ、すなわちマルチＲＦコイル７Ｒを移動させる。これにより、天板１４Ｔの移動制御を自動化することができる。
【００８１】
この自動化によれば、マルチＲＦコイル７Ｒを構成するコイル群１〜３が被検体Ｐの身体各部の大きさに個別に合わせたサイズに形成され、Ｚ軸方向の大きさがコイル群間で異なる場合や、全コイル群は、Ｚ軸方向のサイズが相互に同じだが、各コイル群が必ずしもＺ軸方向に正確に設置されていない場合であっても、コイル群のＺ軸方向のサイズには無関係に、寝台１４Ｔの移動制御が実施される。つまり、コイル群のＺ軸方向のサイズが実質的に又は見掛け上、異なる場合であっても、各回の撮像毎に、各コイル群が静磁場均一領域の中心に的確に位置決めされる。この天板移動の自動制御により、オペレータの操作上の手間は著しく軽減される。
【００８２】
（第３の実施形態）
図４〜６を参照して、本発明の第３の実施形態を説明する。この実施形態は、マルチＲＦコイルを形成するコイル群の位置を検出する別の例に関する。
【００８３】
図４に、この実施形態に係る磁気共鳴イメージング装置の受信器８Ｒの要部を示す。同図に示す如く、マルチＲＦコイル７Ｒを成す複数のコイル群１〜３にＩＤ発生器７Ａ〜７Ｃが各別に設置されている。このＩＤ発生器７Ａ〜７Ｃは、例えば２ビット程度のディップスイッチから成り、図５に示す如く、スイッチ位置に応じて、そのコイル群の種類及びコイルサイズを表す識別情報を発生させる。コイル群の種類にはサーフェイスコイル、ＱＤコイルなどの種類が含まれ、コイル群のサイズにはＺ軸方向の長さの大小などの情報が含まれる。このコイル群毎のスイッチ位置状態と識別情報との関係はホスト計算機６の内部メモリに予め、テーブルとして記憶されている。
【００８４】
このため、コイル群（アレイ状に配置された複数のコイル素子）として所望の種類及びサイズのコイル素子が適宜に選択され、被検体Ｐ又は天板１４ＴにＺ軸方向に沿って配設される。配設された複数個のコイル群１〜３によりマルチＲＦコイル７Ｒが形成される。例えば撮像対象が下肢である場合、下肢の各部位の形状や大きさに応じて適宜な種類及びサイズのコイル群が選択される。この配設のとき、コイル群は必ずしも、幾何学的なＺ軸方向に実直に沿っていなくてもよい。すなわち、例えば大腿部の斜め方向に沿って配置し、Ｚ軸方向に対しては傾斜していてもよい。
【００８５】
複数個のコイル群１〜３は、上述のように配設された後、コネクタボックス８５のスロット１〜３に配設順に接続する。例えば、頭部寄りに位置する１番目のコイル群１の配線Ｗ１（ＩＤ発生器７Ａからの信号線及びコイル素子自体からの信号線の両方）を、１番目のスロット１に接続する。同様に、２番目及び３番目のコイル群２、３の配線Ｗ２、Ｗ３も順に、スロット２，３に接続する。このように、コイル群１〜３の種類、サイズに無関係に、配設順に、コイル群１〜３がコネクタボックス８５のスロット１〜３に単純に接続される。
【００８６】
コネクタボックス８５の出力信号線のうち、コイル群１〜３の出力を担う信号線は、前述した図３に示す如く、入力切替器８６を介して受信系回路８７に至る。一方、かかる信号線のうち、ＩＤ発生器７Ａ〜７Ｃに出力に対応する信号線はホスト計算機６に接続される。
【００８７】
ホスト計算機６は、ＩＤ発生器７Ａ〜７Ｃのスイッチ信号、すなわちコイル群の識別情報に基づいて図６に示す制御を行う。即ち、ホスト計算機６は、スイッチ信号を読み込み、予め記憶している例えば図５に示すテーブルを参照してコイル群１〜３の配列順及びその種類をコイル群毎に判別する（ステップＳ１，Ｓ２）。次いで、ホスト計算機６は、テーブルを参照するなどしてコイル群サイズを求め、このサイズから各回の撮像毎に移動させるべき、コイル群１〜３の移動量を演算する（ステップＳ３）。
【００８８】
このように準備が完了すると、ホスト計算機６は、撮像タイミングか否かを判断しつつ待機し、撮像のタイミングを認識すると、最初の移動量に応じた分だけ天板１４Ｔを移動させるように、図示しない寝台駆動部を制御する（ステップＳ４，Ｓ５）。さらに全部の撮像終了か否かを判断し、未だ残っている撮像がある場合、ステップＳ４，Ｓ５の処理が繰り返される（ステップＳ６）。これにより、２回目、３回目の撮像がマルチＲＦコイル７Ｒ（すなわちコイル群１〜３）を移動させて実行される。全部の回の撮像が済むと、天板１４ＴのＺ軸方向の位置がその所定の初期位置に復帰するように制御される（ステップＳ７）。
【００８９】
このように、本実施形態によれば、操作者は、使用するコイル群の種類やサイズとムービング・ベッド法に拠る移動量との関係を格別に意識する必要が無い。ＩＤ発生器７Ａ〜７Ｃからの識別情報により、天板１４Ｔの移動量が自動的に判別されて、天板移動制御が自動的になされるとともに、各回の撮像毎に入力切替器８６が自動的に切り替えられて、静磁場均一領域に位置決めされたコイル群１（〜３）の検出エコー信号のみが受信される。このエコー信号に基づき画像化が行われる。
【００９０】
このため、マルチＲＦコイル７Ｒを用いたムービング・ベッド法に基づく広範囲のＭＲ画像が得られるとともに、操作者にとって操作上の大幅な省力化がなされるという、優れた作用効果を得ることができる。
【００９１】
ここで、上述した実施形態に適用可能な、最初の１つ目のコイル群への位置決め情報から正確な天板移動量（即ちマルチＲＦコイルの移動量）を決定する手法を図７に基づき説明する。
【００９２】
具体的には、コイル群１〜３の夫々にそのＺ軸方向における中心位置示すマーカＭＫが付けられる。最初に、投光器をマーカＭＫに合わせて、各コイル群の中心位置を寝台の位置エンコーダの所定位置に設定する。次に、投光器を用いて、患者の見たい部位に投光位置Ｐｚを合わせ、その位置Ｐｚを記憶させる。これにより、各コイル群の識別情報から判るコイルサイズＬｎの半分Ｂから、患者への投光位置Ｐｚとコイル中心までの距離Ａを差し引くことで、現在の位置Ｐｚから１番目のコイル群までの残り距離を正確に知ることができる。したがって、コイル群を寝台に対して任意に設定できる。また、各コイル群の中心位置と投光器で実際に合わせた位置とが必ずしも一致しない場合であっても、正確な天板移動を行わせることができる。
【００９３】
さらに、上述した実施形態に適用可能な、各コイル群の位置を検出する別の例を説明する。すなわち、複数のコイル群それぞれに、その中心部に微小なピックアップコイルを配置し、静磁場均一領域の中心から所定量だけコイル群位置をずらして、計測用の所定強度の傾斜磁場パルスを与える。これにより、既知距離離したときの距離とピックアップコイルの出力信号との関係を得ておく。出力信号としては、例えば、積分器を用いて傾斜磁場波形の波高値を求める。撮像時において、コイル群位置を知りたいときには計測用傾斜磁場を加え、ピックアップコイルからの出力信号からコイル群の位置を知ることができる。ムービング・ベッド法に用いるには、Ｚ軸方向傾斜磁場及びこの磁場を検出可能な方向感度のピックアップコイルを用いればよい。
【００９４】
また、サーフェイスコイルのように、３次元的な設定位置が問題となるコイル群を複数個用いて成るマルチＲＦコイルの場合、コイル支持部に直交３方向のピックアップコイルを設置し、計測用傾斜磁場も３方向に順次印加すればよい。そして、コイル中心と支持部までの位置関係を予め得ておいて、この位置関係を使ってピックアップコイルの出力信号を補正するようにすればよい。
【００９５】
（第４の実施形態）
図８を参照して、本発明の第４の実施形態を説明する。この実施形態は、マルチＲＦコイルを用いた高速撮像法をムービング・ベッド法の基で実施する例に関する。
【００９６】
図８に、この実施形態に係る磁気共鳴イメージング装置におけるマルチＲＦコイル７Ｒとそのコイル群の感度領域との位置関係を模式的に示す。同図に示す如く、マルチＲＦコイル７Ｒのコイル群１〜３はＺ軸方向に沿わせて置かれている。天板１４Ｔの移動に伴って、このマルチＲＦコイル７Ｒを成す３つのコイル群１〜３もＺ軸方向に移動させられる。
【００９７】
コイル群１〜３で検出されたエコー信号は、前述した第１〜第３の実施形態で説明した何れかの回路構成の受信器に接続され、それらの何れかの手法で受信処理される。この場合、前述した入力切替スイッチによって、隣接する２つのコイル群が同時に受信系回路に接続される。受信系回路には、この２つのコイル群からのエコー信号をコイル素子別に受信処理する回路群が搭載されている。これにより、２つのコイル群からのエコー信号は並行して受信処理され、エコーデータとしてホスト計算機に各別に送られる。
【００９８】
ホスト計算機又はシーケンサからの指令により、寝台の天板１４ＴはＺ軸方向に沿って移動する。コイル群１〜３の各々は、各回の撮像毎に、静磁場均一領域（診断領域）に対して位置決めされるが、本実施形態では、通常のムービング・ベッド法のように、各コイル群の感度領域Ｒｓｅｎｓの中心位置を静磁場均一領域（図示せず）の中心に位置決めすることはしない。代わりに、隣接する２つのコイル群の感度分布領域Ｒｓｅｎｓ同士がオーバーラップする領域Ｒｏｖｅｒｌａｐを、静磁場均一領域に設定して撮像を行う。
【００９９】
各回の撮像は、１枚の画像再構成に必要なエンコード数の半分とし、１回の撮像毎に１コイル群で可能な１撮像領域分の距離だけ寝台を移動させる。これを順次繰り返して、全撮像領域の撮像が行われる。
【０１００】
具体的な撮像は、従来周知の、マルチＲＦコイルを用いた高速撮像法（例えば、「１０ｔｈ、Ａｎｎ．Ｓｃｉｅｎｔｉｆｉｃ  Ｍｅｅｔｉｎｇ  ＳＭＲＭ．１２４０，１９９１」など）に記載の手法に基づいて実行される。すなわち、１枚の画像再構成に必要なエンコード数を減らしてスキャンされるので、折返しが生じる。この折返しは、コイル群それぞれのコイル感度分布が異なることを利用して、演算により分解し、折返しを除去した画像が得られる。
【０１０１】
したがって、本実施形態によれば、かかる高速撮像法をムービング・ベッド法で実施することができる。とくに、マルチＲＦコイルを用いているが、複数組のコイル素子（セット）の移動（天板移動）及び位置決め、並びに、コイル素子の切り替えも自動的になされ、高速撮像法のメリットを十分に活かすことができる。操作者の操作上の負担も少ない。
【０１０２】
また、このように、マルチＲＦコイルを用いた高速撮像をムービング・ベッド法で実施する場合でも、コイル素子数に反比例してエンコード数を減らすことができるため、撮像時間を短縮させることができ、撮像の高速性を維持できる。
【０１０３】
（第５の実施形態）
図９を参照して、本発明の第５の実施形態を説明する。この実施形態は、マルチＲＦコイルの設置例に関する。
【０１０４】
図９（ａ），（ｂ）に示す如く、本実施形態のマルチＲＦコル７Ｒは、寝台の天板１４Ｔ、又は、被検体Ｐの体表から極力離して設置される。具体的には、マルチＲＦコイル７Ｒは３個のコイル群１〜３から成る。各コイル群１（〜３）は、天板上側に位置し且つ共通のコイル支持部材３０Ｕに支持された２個のコイル素子７Ｕ１，７Ｕ２から成るアレイタイプの上側コイル群１と、天板下側に位置し且つ共通のコイル支持部材３０Ｌに支持された２個のコイル素子７Ｌ１，７Ｌ２から成るアレイタイプの下側コイル群１とから成る。
【０１０５】
これにより、前述した図８に示すマルチＲＦコイルに比べて、各コイル群の感度分布領域Ｒｓｅｎｓが広くなることから、隣接するコイル群の感度分布領域が重なる領域Ｒｏｖｅｒｌａｐも広くなるので、同じ撮像領域の場合、使用するコイル群数を減らすことができる。
【０１０６】
（第６の実施形態）
図１０を参照して、本発明の第６の実施形態を説明する。この実施形態は、マルチＲＦコイルとして全身（ＷＢ）用コイルを用いた例に関する。
【０１０７】
図１０に示す如く、この全身用コイル７は、例えば短軸の３個の全身用コイル７ａ，７ｂ，７ｃを並べて構成したアレイタイプのマルチコイルになっている。並べるコイルの個数は少なくとも２個であればよい。なお、全身用コイル７ａ，７ｂ，７ｃの夫々は本発明のコイル体に対応する。
【０１０８】
全身用コイル７ａ，７ｂ，７Ｔｃはそれぞれ、受信器８Ｒのデュプレクサ３１を介してプリアンプ３２ａ，３２ｂ，３２ｃにそれぞれ至る。さらに、このプリアンプ３２ａ，３２ｂ，３２ｃから受信系回路３３ａ，３３ｂ，３３ｃを介してホスト計算機６に至る。これにより、全身用コイル７ａ，７ｂ，７ｃからのエコー信号が互いに独立して受信処理される。また、送信器８Ｔはデュプレクサ３１を介して全身用コイル７ａ，７ｂ，７ｃに接続され、送信可能になっている。
【０１０９】
なお、このマルチ全身用コイルを用いる例として、図１１（ａ），（ｂ）の構成も採用し得る。即ち、４チャンネルの全身用コイル３４ａ，３４ｂ，３４ｃ，３４ｄを周囲方向に配置してマルチコイル化したものである。この場合、感度分布が対称であると、再構成できなくなる場合があるため、左右、上下でコイルを非対称に配置する。
【０１１０】
（第７の実施形態）
図１２を参照して、本発明の第７の実施形態を説明する。この実施形態は、１つの全身用コイルを用いて寝台移動を利用して高速撮像可能なシステムの例に関する。
【０１１１】
前述した文献に記載した高速撮像法によれば、その基本原理として、エンコード数をＮ／１に減らすにはＮ個のコイル（コイル素子）が必要である。このため、従来のように全身用コイルを１つ搭載する磁気共鳴イメージング装置では、この高速撮像法を実施できないという問題あった。
【０１１２】
そこで、本実施形態はこの問題を解決する。つまり、全身用コイルが１つであっても、寝台を移動させることにより全身用コイルの感度分布が相対的に変化する。これは、被検体の同一領域を異なる感度分布のコイルで撮像したことと等価となる。本実施形態では、これに着目し、寝台移動を利用することで、エンコード数を減らすことを原理とする高速撮像を行なうものである。
【０１１３】
最も簡素な例によれば、最初に、ある寝台位置にて１枚の画像再構成に必要なエンコード数を半分にし、スキャン（コイル感度分布測定用のスキャン及び撮像用のスキャンを含む）を行なう。これにより、最初の寝台位置における所定撮像領域の１枚の画像が得られる。次に、寝台天板を所定量（例えば、全身用コイルのＺ軸方向長さの半分に相当する距離分）だけ移動させ、同様にエンコード数を半分にして上述と同一撮像領域に対して、もう１枚の画像を得るべく、スキャン（コイル感度分布測定用のスキャン及び撮像用のスキャンを含む）を行なう。つまり、寝台天板を所定量、移動させることにより、被検体の所定撮像領域から見た場合、全身用コイルが１つであっても、見掛け上、２つに見え、全身用コイルを２つ備えた状態と等価になる（図１２参照）。
【０１１４】
この２回の撮像で得られた各々の画像には折返し現象を生じているが、異なる感度分布の全身用コイルで撮像された２つの画像と等価であるため、前述した文献記載の手法により、演算により折返しを除去した元の１枚の画像が再構成される。
【０１１５】
本実施形態の撮像法は、とくに超短軸タイプの磁気共鳴イメージング装置に好適である。この装置では、全身用コイルは１台であり、Ｚ軸方向の軸長が短いため（軸長は、１００ｃｍ程度、撮像領域は２５ｃｍ程度）、通常のＺ軸方向撮像領域の画像を得るには数回の撮像が必要である。これに本実施形態の撮像法を適用した場合、例えば、Ｚ軸方向を読出し方向に設定し、超短軸タイプの磁気共鳴イメージング装置で撮像可能なＺ軸方向ＦＯＶを２倍（例えば、従来の長い軸長を有する磁気共鳴イメージング装置における１つの撮像領域と同一とする）にし、エンコード数を半分にし、各回の撮像毎に従来の磁気共鳴イメージング装置における１つの撮像領域分、寝台を移動させて２回撮像する。これにより、超短軸タイプの磁気共鳴イメージング装置で問題となる、サジタルやコロナルの撮像が通常ＭＲＩと同一時間でなされる。
【０１１６】
なお、上述した全身用コイルを１台用いたときの寝台移動及び画像処理に関する手法は、前述した図１０に示すマルチ全身用コイルの構成に適用してもよい。また、かかる手法を前述した図９記載の位置固定されたマルチＲＦコイルの構成に適用してもよい。
【０１１７】
（第８の実施形態）
図１３〜１６を参照して、本発明の第８の実施形態を説明する。この実施形態は、前述した第７の実施形態と同様に、１個又は２個以上の受信コイルを用い、寝台移動に拠る感度分布変化を利用して高速撮像法を実施することを特徴とする。
【０１１８】
特に、この高速撮像法の好適な一例は、ＭＲ造影剤を注入しながら、その造影効果を反映させた画像や計測情報を得る高速造影ＭＲアンギオグラフィ（ＭＲＡ）である。
【０１１９】
そこで、この実施形態では、上記高速撮像法を高速造影ＭＲＡとして実施する場合について説明するが、必ずしも、この高速造影ＭＲＡに限定されるものではない。
【０１２０】
図１３に、この高速造影ＭＲＡを実施可能は磁気共鳴イメージング装置の構成を示す。この磁気共鳴イメージング装置には、同図に示す如く、送信用コイルとしての全身用（ＷＢ）コイル７Ｔと１個の受信コイル７Ｒとがマグネット１ボア内に固設されている。この受信コイル７Ｒは本発明のコイル体に相当する。この受信コイル７Ｒはプリアンプ８４を介して受信系回路８７に接続され、所定の受信処理がなされる。この受信処理により生成されたエコーデータがホスト計算機６に送られる。
【０１２１】
また、寝台の天板１４Ｔに載せられた被検体Ｐには、造影剤注入装置１９からＭＲ造影剤が注入可能になっている。
【０１２２】
この磁気共鳴イメージング装置におけるその他のハードウェア構成は、受信系回路が１系統であることを除いて、図１のものと同等である。
【０１２３】
通常、造影ＭＲＡの場合、造影剤の投与前から撮像を開始し、同一撮像部位を繰り返してスキャンしながらエコーデータを収集し、そのエコーデータに基づく画像データから造影剤の到達による輝度変化を観察する。より細かい輝度の時間変化を捉えるには、より高い時間分解能で撮像する必要がある。
【０１２４】
本実施形態では、受信コイル７Ｒが１個であるため、前述した第７の実施形態と同様に、寝台の天板１４Ｔを移動させることで高速造影ＭＲＡを実施する。
【０１２５】
具体的には、天板１４Ｔは、図１４（ａ）、（ｂ）に示す如く、２箇所のコイル感度分布が異なった位置Ｐ１，Ｐ２に移動される。第１の寝台天板位置Ｐ１は、同図（ａ）に示す如く、被検体Ｐの撮像部位Ｒｉｍａ（斜線部）が受信コイル７Ｒの感度分布領域Ｄｓｅｎｓの中心に位置せず、撮像部位Ｒｉｍａが感度分布領域Ｄｓｅｎｓを跨ぐように少しずらして設定されている。また、第２の寝台天板位置Ｐ２は、同図（ｂ）に示す如く、天板１４ＴをＺ軸方向（寝台長手方向）に所定距離だけ移動させて得られる。この第２の寝台天板位置Ｐ２は、被検体Ｐの撮像部位Ｒｉｍａが受信コイル７Ｒの感度分布領域Ｄｓｅｎｓの中心に位置するように設定されている。つまり、同一の撮像部位Ｒｉｍａからみた場合、天板１４Ｔの移動によって、コイル感度分布が異なる２箇所の位置でスキャンが実施される。
【０１２６】
この高速造影ＭＲＡでは、第１の寝台天板位置Ｐ１で予め準備用スキャンが実行される。準備用スキャンには、受信コイル７Ｒの感度分布を測定するための第１の感度分布測定用スキャンとアンフォールディング処理に拠るＭＲＡ画像を生成するためのサブエンコーディング法による１回の本スキャンとがある（第２の感度分布測定用スキャンは後述される）。この第１の寝台天板位置Ｐ１の場合、撮像部位Ｒｉｍａが感度分布領域Ｄｓｅｎｓの中心から少しずれている分、後述する第２の寝台天板位置Ｐ２とは感度分布が異なっている（空間分解能は同じ）。
【０１２７】
第１の感度測定用スキャンは、スキャン時間を短縮させるために、より高速なシーケンスを用いるように設定される。例えば、造影ＭＲＡで用いる本スキャンのシーケンスが３次元ＦＦＥ法で且つマトリクスサイズ：１２８×２５６×３２であった場合、感度測定用スキャンで用いるマトリクスサイズは、例えば、１６×３２×４に設定される。本スキャンは、造影ＭＲＡ用の所望シーケンスを用い且つそのエンコードのステップを半分に減らして（間引いて）設定される。
【０１２８】
一方、第２の寝台天板位置Ｐ２では、撮像用スキャンが実行される。この撮像用スキャンには、上述と同様の第２の感度分布測定用スキャンとアンフォールディングに拠るＭＲＡ画像生成のためのサブエンコーディング法による複数回の本スキャンとがある。第２の感度分布測定用スキャンは、前述と同様に、スキャン時間の短縮及びそのスキャン目的を考慮して、空間分解能を低下させ、例えば「１６×３２×４」程度のマトリクスサイズで行われる。本スキャンは、造影ＭＲＡ用の所望の３次元パルスシーケンスを用い且つそのエンコード（位相エンコード）のステップ数を半分に減らして（間引いて）設定される。このようにエンコードステップ数を減らすことで、かかるステップ数を減らさないときに比べて、時間分解能が２倍になる。
【０１２９】
図１５に、ホスト計算機６によって指令される高速造影ＭＲＡのための処理を示す。
【０１３０】
まず、ホスト計算機６は寝台駆動装置１４Ｄに指令を送り、寝台の天板１４Ｔの位置を第１の寝台天板位置Ｐ１まで移動させ（図１４（ａ）参照）、準備用スキャンを実行するか否かを判断する（図１５、ステップＳ２１、Ｓ２２）。
【０１３１】
この判断で準備用スキャンが実行可能な状態である場合、ホスト計算機６により、第１の感度分布測定用スキャンの実行が指令されて、そのエコーデータが収集且つ記憶される（ステップＳ２３）。この後、更に本スキャンの実行が１回指示されて、そのエコーが収集且つ記憶される（ステップＳ２４）。
【０１３２】
この後、ホスト計算機６は寝台駆動装置１４Ｄに指令を送り、寝台の天板１４Ｔの位置を第２の寝台天板位置Ｐ２まで移動させ（図１４（ｂ）参照）、撮像用スキャンを実行するか否かを判断する（ステップＳ２５、Ｓ２６）。
【０１３３】
この移動が終わると、ホスト計算機６により、第２の感度分布測定用スキャンの実行が指示される（ステップＳ２７）。これにより、感度分布測定用のエコーデータが収集され、ホスト計算機の内部メモリに記憶される。次いで、ホスト計算機６は造影剤注入装置１９に造影剤を注入すべき旨の指示を出す（ステップＳ２８）。これにより、造影剤注入装置１９は、かかる指示に呼応して、例えば一定時間の後に、被検体Ｐへの造影剤の注入を開始する。
【０１３４】
この後、ホスト計算機６は、造影剤の注入開始を見計らうべく予め定めた時間だけ待機した後、本スキャンの実行を指令する（ステップＳ２９，Ｓ３０）。これにより、本スキャンに拠るエコーデータが収集され、且つ、ホスト計算機６の内部メモリに記憶される。この第２の寝台天板位置Ｐ２における本スキャンは、例えば造影剤の輝度増強効果を測定するに十分な所定回数だけ実行される。
【０１３５】
このように一連の天板１４Ｔの移動及びスキャンが終わると、ホスト計算機６はコイル感度分布測定用スキャン及び本スキャンにより収集されたエコーデータの組を夫々、３次元フーリエ変換に施して画像に再構成する（ステップＳ３２）。
【０１３６】
このようにして得られた第２の寝台天板位置Ｐ２における造影ＭＲＡ用の一連の３次元画像には、そのエンコード方向（位相エンコード方向及びスライスエンコード方向）に折返しが生じている。そこで、ホスト計算機６は、予め収集しておいた第１の寝台天板位置Ｐ１におけるコイル感度分布測定値（画像データ）及び１回の本スキャンの画像データ、並びに、造影ＭＲＡを行った第２の寝台天板位置Ｐ２におけるコイル感度分布測定値（画像データ）を用いて、第２の寝台天板位置Ｐ２における本スキャンの各回の３次元画像データを夫々、アンフォールディングする（ステップＳ３３，Ｓ３４）。このアンフォールディングは前述した周知の手法で行われる。
【０１３７】
このアンフォールディングにより折返しが排除された、第２の寝台天板位置Ｐ２における本スキャンの３次元画像データは、次いで、種々の形態の計測及び表示に処せられる（ステップＳ３５）。
【０１３８】
図１６には、この各スキャン、寝台移動、及び造影剤注入タイミングのタイミングフロー、並びに、アンフォールディングの処理に用いるデータの使用関係を模式的に示す。
【０１３９】
このように、１つの受信コイルを用いる場合であっても、寝台（天板）を移動させることで、被検体の撮像部位を受信コイルの感度分布の異なる２つの位置に移動させ、エンコードステップ数を減じた高速撮像法を等価的に実施できる。しかも、一方の位置において造影剤を注入してスキャンするとともに、アンフォールディングにより折返しを除去することで、時間分解能の高い高速造影ＭＲＡを行うことができる。
【０１４０】
なお、上述した実施形態はＭＲＡを行う場合について説明したが、造影剤を注入しない、受信コイルが１個の場合の撮像法について実施するようにしてもよい。その場合、通常は高速撮像法を実施できない１個の受信コイルの場合であっても、サブエンコーディング法に拠る高速撮像を行うことができる。つまり、上述した第８の実施形態のときと同様に、１つの受信コイルに対して同一撮像部位を相対的に移動して撮像でき、受信ＲＦコイルの感度が変化したデータを得ることができ、実質的に２つの受信コイルを用いた場合と同様の効果が得られる。
【０１４１】
また、上述した第８の実施形態では受信コイルを１つ設けた場合を説明したが、これを２つ以上の受信コイルを用いる構成について実施してもよい。受信コイル数が多い場合には、同一部位を撮像できる範囲でコイル数の更に２倍の高速化が可能である。
【０１４２】
また、送受信兼用の全身用コイルを用いてもよい。
【０１４３】
さらに、上述した第８の実施形態及びその変形例に拠れば、寝台の天板を移動させるなど、寝台とマグネットの相対位置関係を変化させて、２つの位置でスキャンする手法を示したが、更に、３回以上の多数回に分けてスキャンするようにしてもよい。この場合、例えばＮ（＞３）回、位置を変えてスキャンすれば、Ｎ倍までの高速化が可能である。但し、複数回のスキャン位置は、サブエンコーディング法の条件が成立する範囲、即ち、コイル感度分布の一次独立性が保持される程度以上の値まで離れるように天板を動させる必要がある。
【０１４４】
さらに、各実施形態において、受信コイル群として被検体の上下または左右に対向配置されたコイルを用い、各コイルの感度分布を用いてサブエンコ−ディング法による撮影を行えば、高速にアキシャル画像を得ることができる。
【０１４５】
本発明は、代表的に例示した上述の実施形態及び変形形態に限定されるものではなく、当業者であれば、特許請求の範囲の記載内容に基づき、その要旨を逸脱しない範囲内で種々の態様に変形、変更することができ、それらも本発明の権利範囲に属するものである。
【符号の説明】
【０１４６】
１  磁石
２  静磁場電源
４  傾斜磁場アンプ
５  シーケンサ
６  ホスト計算機
７Ｒ  マルチＲＦコイル
７Ｔ  全身用コイル
７Ａ〜７Ｃ  ＩＤ発生器
８Ｒ  受信器
８Ｔ  送信器
１１  記憶装置
１２  表示装置
１３  入力器
１４Ｔ  寝台の天板
１４Ｄ  寝台駆動装置
１９  造影剤注入装置
３３ａ〜３３ｂ  受信系回路
３４ａ〜３４ｄ  コイル素子
８５Ａ〜８５Ｃ、８５  コネクタボックス
８６  入力切替器
８７  受信系回路
８８Ａ〜８８Ｃ  信号レベル検出器
【図１】
2011078840.tif 000003
【図２】
2011078840.tif 000004
【図３】
2011078840.tif 000005
【図４】
2011078840.tif 000006
【図５】
2011078840.tif 000007
【図６】
2011078840.tif 000008
【図７】
2011078840.tif 000009
【図８】
2011078840.tif 000010
【図９】
2011078840.tif 000011
【図１０】
2011078840.tif 000012
【図１１】
2011078840.tif 000013
【図１２】
2011078840.tif 000014
【図１３】
2011078840.tif 000015
【図１４】
2011078840.tif 000016
【図１５】
2011078840.tif 000017
【図１６】
2011078840.tif 000018
【図１７】
2011078840.tif 000019
【図１８】
2011078840.tif 000020